(57)【要約】  この発明は、表示パネル、特に、各々のフィールドが複数のサブフィールドにより形成された複数のフィールドを含むビデオ信号に対応した１つの画素に、各々のセルが相当する複数のセルを備えるプラズマ表示パネルを駆動すると共に、現在のフィールドの処理の間に、１つのフィールド当たりのサブフィールドの数が所定のパラメータにしたがって次のフィールドのために調節されている方法および装置に関する。
2005516245.tif 000002
【特許請求の範囲】
【請求項１】
各々のフィールドが複数のサブフィールドにより形成された複数のフィールドを含むビデオ信号に対応した１つの画素に、各々のセルが相当する複数のセルを備える表示パネルを駆動する方法において、
所定のパラメータにしたがって、１つのフィールド当たりのサブフィールドの数を調節する［adjusting］ステップを備え、
現在のフィールドの処理の間に、前記調節するステップにおける前記サブフィールドの前記数は次のフィールドのために調節されていることを特徴とする方法。
【請求項２】
各々のフィールドが複数のサブフィールドにより形成された複数のフィールドを含むビデオ信号に対応した１つの画素に、各々のセルが相当する複数のセルを備える表示パネルを駆動する装置において、
前記装置は、所定のパラメータにしたがって、１つのフィールド当たりのサブフィールドの数を調節する［adjusting］手段を備え、
前記調節する手段は、現在のフィールドの処理の間に、前記サブフィールドの前記数を次のフィールドのために調節するために設けられていることを特徴とする装置。
【請求項３】
前記調節する［adjusting］手段は、所定のパラメータにしたがって、１つのフィールド当たりのサブフィールドの数を調整する［regulating］調整手段の一部分である請求項２に記載の装置。
【請求項４】
放電セルを含むプラズマ表示パネルを駆動するための装置であって、前記装置は、
放電セルから光を放射するために、１つの放電セル内で持続放電させるための持続レベル信号を供給する手段と、
前記持続レベルを調整する手段と、を備え、
前記調節手段は、前記持続レベル調整手段の一部分であることを特徴とする請求項２に記載の装置。
【請求項５】
前記調整は適応的な調整であることを特徴とする請求項３に記載の装置。
【請求項６】
放電セルを含むプラズマ表示パネルを駆動するための装置であって、前記装置は、
放電セルから光を放射するために、１つの放電セル内で持続放電させるための持続レベル信号を供給する手段と、を備え、
前記所定のパラメータは、時間当たり持続レベルでの影響［impact］を有する複数のパラメータを含むことを特徴とする請求項２に記載の装置。
【請求項７】
前記所定のパラメータは、画像負荷、温度、および／または、電力供給能力［power-supply capability］を含むことを特徴とする請求項２に記載の装置。
【請求項８】
前記次のフィールドは、直ぐ次のフィールドであることを特徴とする請求項２に記載の装置。
【請求項９】
複数のフィールドを格納するためのメモリ手段をさらに備え、
前記メモリ手段は、２つのフィールドよりも多くのフィールドを格納するためのデュアルポートメモリを備えることを特徴とする請求項２に記載の装置。
【請求項１０】
請求項２に記載の装置を備える表示パネル装置。
【発明の詳細な説明】
【技術分野】
【０００１】
この発明は、表示パネル、特に、各々のフィールドが複数のサブフィールドにより形成された複数のフィールドを含むビデオ信号に対応した１つの画素に、各々のセルが相当する複数のセルを備えるプラズマ表示パネルを駆動すると共に、現在のフィールドの処理の間に、１つのフィールド当たりのサブフィールドの数が所定のパラメータにしたがって次のフィールドのために調節するステップを備える方法および装置に関する。この発明はまた、表示パネル装置、特に、上述した装置を備えるプラズマ表示装置に関する。
【背景技術】
【０００２】
近年、表示パネルのサイズが大きくなるにつれて、薄型の表示装置が求められてきている。プラズマ表示パネル（以下、簡略化して“ＰＤＰ”―Plasma Display Panel―と記載する）が、従来の陰極線管に代わる次世代の最重要な表示装置の１つとなることが期待されており、この理由は、ＰＤＰがパネルの厚さと重さの低減、および、平坦な画面の形状と大きな画面の表面積の提供、を容易に実現できるからである。
【０００３】
表面放電を行なうＰＤＰにおいて、一対の電極が前面ガラス基板の内側表面上に形成され、希ガスがパネル内に充填される。電極間に電圧が供給されたとき、表面放電が電極表面に形成された保護層と誘電体層との表面で発生して、これによって紫外線を生成している。三原色の赤、緑、青の蛍光物質が、背面ガラス基板の内側表面に塗布されて、カラーディスプレイは紫外線に反応した蛍光物質からの光の放射を励起することにより行なわれている。
【０００４】
ＰＤＰは、複数のカラム電極（アドレス電極）と、これらのカラム電極に交差するように配置された複数のロウ電極と、を備えている。複数のロウ電極のそれぞれは対をなしており、カラム電極は放電空間に対して誘電体層により覆われると共に、これらは１つの画素に対応する放電セルがロウ電極対とカラム電極の交差する点に形成されるような構造を有している。このＰＤＰは放電現象を用いることにより、光放射ディスプレイを提供しているので、放電セルのそれぞれは、光の放射が行なわれる状態と、行なわれない状態との２つの状態のみを有している。サブフィールド方法は、ＰＤＰによるハーフトーン輝度表示を提供するために用いられる。このサブフィールド方法においては、１つのフィールドの表示期間がＮ個のサブフィールドへと分割されて、（Ｎビットの）画素データの各ビット桁［bit digit］の重みに相当する持続時間を有する光放射時間がそれぞれのサブフィールド毎に割り当てられ、光放射の駆動が行なわれる。
【０００５】
放電は、画素を構成するセルのカラムおよびロウ電極間の電圧を調整することにより実現される。放射された光の量は、セル内での何回かの放電を調整するために変化する。全体の表示画面は、マトリックスタイプ内で、それぞれのセルのカラムおよびロウ電極へディジタル画像信号を入力するための書込みパルスと、放電を持続させるための持続パルスを走査するための走査パルスと、および、放電されたセルの放電を終了させるための消去パルスと、を駆動することにより得られる。また、グレースケールは、全体的な映像を表示するために要求される所定の時間について各セルの放電の回数を微分する［differentiating］ことにより実行されている。
【０００６】
画面の輝度は、各セルが最大レベルにまで駆動されたときの状態での明るさにより決定される。輝度を増加させるために、駆動回路は、セルの放電時間が画面を形成するために必要とされる所定の時間に対して可能な限り長く維持されることができるように構成されなくてはならない。光と暗さとの差であるコントラストは、例えば照明［illumination――イルミネーション］のような背景の明度［brightness］および輝度［luminance］とにより決定される。このコントラストを増加させるために、背景は暗くされなければならず、これにより輝度は増加されなければならない。
【０００７】
通常のＰＤＰディスプレイシステムにおいては、画像信号情報のフレームまたはフィールドは、サブフィールドの１つのセットとして表示される。サブフィールドはしばしば、スキームを駆動する分離されたアドレス表示（ＡＤＳ―Address Display Separated―）にしたがって駆動される。各サブフィールドは、それ自身で、アドレス、持続期間、消去期間を有している。消去期間は、完全な表示領域上で少量の光を生成する。画素の構成要素［pixel-element］のアクティブアドレッシング［active addressing］は、アドレスされた画素の構成要素における１回の光の閃光［light flash］を生成する。持続期間のみが、多数の持続パルスにより制御されて、要求のあった光を発生させる。持続期間が有用な光を生成している間に、アドレスおよび消去用の時間は、ディスプレイに対してより多くの光を生成することを許容するために最小化されるべきである。
【０００８】
従来の陰極線管のそれと比較して、高いピーク輝度を達成するために、プラズマ表示パネルにおける持続パルスを十分に生成するため、かなりの量の時間が必要とされる。
【０００９】
ピーク輝度を増加させるための選択肢［option］は、より短い消去パルス、より一層短いラインアドレス時間、および／または、より一層短い持続パルスの提供により実現可能となるであろう。しかしながら、これらの対策は、パネルの性能において負の影響［negative impact］を有する。
【００１０】
しかしながら、持続の最大量は、利用可能なフレーム時間によるばかりでなく、パネルの電源および高温の過負荷によってもまた制限される。これらのパラメータは、高い画像負荷を伴うフレームが表示されたときに制限するようになる。フレーム当たりのサブフィールドの数を低減させるとき、ピークの明るさは、色の深さと共に変更される。
【００１１】
場面を変更するために、時間当たりの持続は、１つのレベルから他のレベルへと時間が経つにつれて変化しなければならず、これに対して、１つの場面の名目上（公称）の輝度の“ポンピング（pumping―供給すること―）”は避けられなければならない。これは、駆動されているサブフィールドの数とは独立する。
【００１２】
標準的な適用調整は、サブフィールドの数を制御しており、入来する現在のフレームの画像負荷を測定して、その現在のフレームを表示するために用いられたサブフィールドの数を制御するためにその画像負荷を用いる。この調整は、電力の浪費と温度を推定するために画像負荷を用いて、使用されるべき多数のサブフィールドのための値を決定する。したがって、これは、ディザリング（Dithering―ディザ法―）、サブフィールド生成、部分ライン二重化、動き補償サブフィールド、および、タイミングおよび制御ブロックを設定することに適宜に適応する。
【００１３】
特に、存在する駆動スキームは、画像処理の間に測定される画像負荷により駆動されるフィードフォワード調整を用いる。これは、フレーム当たりのサブフィールドの特定の数が制せされることができる前で、完全なフレームの画像負荷が測定されていなければならない間に画像フレームメモリが必要となることを意味する。このようなフィードフォワード調整を含む従来のＰＤＰ駆動システムは、図１に示される。図１は、サブフィールド負荷ユニットＳＬと、フレーム遅延ＦＤと、画像処理ユニットＶＰと、サブフィールド処理ユニットＳＰと、サブフィールド置換えユニットＳＴと、プラズマ表示パネルＰＤＰと、ＳＦ／持続レベル調整ユニットＲＵと、および、タイミングおよび制御生成部Ｔ＆ＣＧとを示している。画像タイミング信号ＶＴ，温度信号Ｔ，および、電力制限信号Ｐは、ＳＦ／持続レベル調整ユニットＲＵへ供給される。
【００１４】
国際特許出願ＷＯ９９／３０３０９は、プラズマ表示パネルの明るさに対するサブフィールドの数を調整可能な表示装置を開示する。画像明度データが必要とされると共に、サブフィールドの数がフィードフォワードシステム内のこのような明度データに基づいて調整される。したがって、フレーム当たりの画像の特性は、画像信号を遅延させている間に決定される。
【００１５】
ヨーロッパ特許出願ＥＰ０６５３７４０Ａ２公報は、プラズマ表示装置のグレースケールを制御する方法を説明する。この公知の方法は、それぞれが異なる明るさを有する複数のサブフレームにより画像のためのフレームを形成する形成ステップと、それぞれのサブフレーム用に各サブフレーム持続放射の数を個別に設定する設定ステップと、特定の明るさを有するグレースケール表示によりプラズマ表示装置上に画像を表示する表示ステップとを備える。各サブフレームにおける持続放射の数は、個々のサブフレームにより個別に設定され、これは、グレースケールと対応する明るさとの間の線形関係を確立できる。したがって、サブフレーム内の持続パルスの数は、実際に測定された明るさのデータと消費電流とに基づいて適応される。
【００１６】
ヨーロッパ特許出願ＥＰ０８３１６４３Ａ２公報は、プラズマ表示パネルおよび明るさを制御する方法について開示している。このプラズマ表示パネルは、階調明度表示範囲と一定ピーク明度表示範囲とを備える明度表示範囲を有しており、階調明度表示範囲は、現在の入力信号レベルより下で入力信号に対応する階調明度を表示し、一定ピーク明度表示範囲は、現在の入力信号レベルよりも大きい入力信号に対応する最大明度よりも大きい一定ピーク明度を表示する。プラズマ表示パネルは、最大入力信号レベルに至るまで入力信号に対応する最大明度に至るまでの階調表示を提供でき、また、より高い階調のために１つの付加的な重付けビットを付加することにより、ピークレベル入力に対応する一定ピーク明度を提供できる。したがって、明度は特別なサブフィールドを付加することにより制御される。
【００１７】
上述したビデオフレームメモリの提供に加えて、従来のシステムのその他の不都合は、画像処理の流れの中で、より遅くなることのみであり、これは駆動スキームがＰＤＰディスプレイを駆動するために最善の状態で用いることができることを公知にしている。このスキームは、フィードフォワード制御により導き出されたサブフィールド／フレームの数に一致しなくても良い（例えば、低いビデオ画像負荷は、持続レベルを制限する高いパネル温度に対比して、サブフィールドの制限された数と高い持続レベルとを許容する。）これらの制約が一致していないと、画像の性能は低下するであろう。
【００１８】
上述したように、ＰＤＰ表示システムの後方［backend］において、時間当たりの持続量を制限するかもしれない、より多くの因子がある。この制限は、パネルに損害を与えることなく、パネルが最大の性能で駆動されることを許容する。過度のパネル温度と電源の電圧リップルは、持続時間の不使用に通じ、これは、特別なサブフィールドを表示するために用いることができたであろうものである。
【発明の概要】
【００１９】
この発明の目的は、上述した欠点を避けて、特に生成されたサブフィールドの数を最適の駆動スキームに合致させること、および、最適の輝度および色の深さの設定を結果することを許容する表示パネルを駆動する方法および装置を提供することにある。この発明は独立請求項により定義されたようなプラズマディスプレイの駆動を提供する。従属する請求項は、有利な実施形態を定義する。
【００２０】
この発明の教示により、フレーム当たりのサブフィールドの数は、現在処理されているフィールドに対してではなく、所定のパラメータにしたがって次のフィールドに対して、調整または生成される。したがって、この発明の構成は、結果として、視覚的な画質を劣化させることのないフィードバックループの提供となる。サブフィールドの数を変化させることはピーク明度および色の深さの間の適応的な釣り合い［trade-off―交換条件―］を提供する。
【００２１】
この発明の長所は、調整または生成されたサブフィールドの数が最適な駆動スキームに常に一致するであろうことである。これは、最適な輝度および色の深さを設定する結果となる。さらに、この発明は、ビデオフレーム遅延（フレームメモリ）について必要なくなるので、メモリと帯域の要求を低減する。とりわけ、特別なフレームメモリについては必要なくなる。したがって、この発明はハードウェアとコストを節約する結果になる。
【００２２】
最後に、この発明は、実現可能な実施形態を許容する。とりわけ、この発明は、全ての他の表示パネルの画像技術、特にＰＤＰ画像改善技術と結合されることが可能である。
【００２３】
この明細書において、用語“フィールド”はまたフレームを意味可能であり、用語“サブフィールド（ＳＦ）”はまたサブフレームを意味可能である。しかしながら、この発明はまた、ビデオ信号のフレームがサブフィールドを備え、サブフレームがサブフィールドを備える状況にも及んでいる。
【００２４】
さらに、この発明がＰＤＰパネルばかりでなく、パネルの処理や駆動のために集積回路に対してと同様に他のサブフィールド駆動ディスプレイに対して適用可能であることは注目される。
【００２５】
通常、調節する［adjusting］ステップは、所定のパラメータに基づいて１フィールド当たりのサブフィールドの数を調整する［regulating］調整ステップの一部分である。したがって、この発明は、フィードバックループ調整ように、視覚映像の画質を低下を伴うことなく次のフィールドのために生成されるであろう１フィールド当たりのサブフィールドの数を調整することを提供する。
【００２６】
放電セルからの光を放射するためにこの放電セル内での放電を持続させるために持続レベル信号が供給されてこの持続レベルが調整されるように放電セルを含むプラズマ表示パネルが駆動される場合には、前記調節するステップは、持続レベル調整ステップの一部分となることが可能である。
【００２７】
好ましくは、この調整は、適応的な調整である。とりわけ、サブフィールドの数を変化させることは、ＰＤＰディスプレイのピークの明度と色の深さとの間の適応的な釣り合い（trade-off―交換条件・均衡―）を提供し、これは全体的な性能を向上させることになるであろう。
【００２８】
放電セルからの光を放射するためにこの放電セル内での放電を持続させるために持続レベル信号が供給されてこの持続レベルが調整されるように放電セルを含むプラズマ表示パネルが駆動される場合には、所定のパラメータは時間［time―回数―］当たりの持続レベルについて影響［impact］を有するパラメータを含んでいる。とりわけ、所定のパラメータは、画像負荷、温度、および／または、電力供給能力を含むことができる。
【００２９】
通常、サブフィールドの数が調節されるための次のフィールドは、直ぐ次の［succeeding］フィールドであり、すなわち、サブフィールドの数を調節しているときの現在処理されているそのフィールドに続くフィールドである。
【００３０】
この発明による表示パネル駆動装置の好適な実施形態は、複数のフィールドを格納するメモリ手段を備え、このメモリ手段は、２つのフィールドよりも多いフィールドを格納するためのデュアルポートメモリを備える。表示フィールドの周期を一時的に拡張することは、輝度を徐々に低減させることになる。このメモリは、入力されたビデオフィールドの比率から表示フィールドの比率の結合を解除するために用いることができる。これは、メモリがまさに二重バッファ化されたメモリではないが、２つ以上のデータのフィールドを格納することができるデュアルポートメモリであることに適合する。このメモリはまた、入力されたビデオストリームにおけるタイミングの変化を補償するために用いることもできる。このメモリが小さな（クロックの結合解除―de-coupling／デカップリング―用の）ＦＩＦＯ［先入れ先出し―First-In/First-Out ―］と結合されて（同期設計用の）ビデオ処理ストリームと手を握るときに、このメモリは、ビデオフィールドメモリ用の（タイミングの）必要性を省略する。
【発明の詳細な説明】
【００３１】
以下、添付図面を参照しながら好適な実施形態に基づいて、この発明がより詳細に説明される。
【００３２】
この発明の好適な実施形態による、プラズマ表示パネル（ＰＤＰ）の表示を駆動する１フィールド当たりのサブフィールドの数の適応的調整のための、適応的サブフィールド・フィードバック（ＡＳＦＦＢ―Adaptive SubField FeedBack―）ループ技術の実例は、ブロック図として図２に示される。図２は、基本的に図１と同一の構成要素を含んでいるが異なって配置されている。また、図１のフレームディスプレイＦＤは削除され、これに対してサブフィールド置き換えユニットＳＴはここでＳＦフレームメモリＦＭを備える。
【００３３】
１秒あたり持続レベルについての影響を有する全てのパラメータは、持続レベル調整モジュールＲＵ内で実行される持続レベル調整プロセスのための入力として用いられる。この中央処理は、１秒当たり持続レベルを調整するために直接のデータ（温度）および間接のデータ（サブフィールド負荷）を用いる。この情報は、フレームがＰＤＰモジュールに表示されるようになる前に、処理されていなければならない。コンフレームがサブフィールド置き換え（フレーム遅延）から検索されたときには、タイミングおよび制御生成部モジュールＴ＆ＣＧは定義されていなくてはならない。
【００３４】
この情報はまた、次のフレームのために生成されるであろう、１フレーム当たりのサブフィールドの数を調整するために用いることもできる。これは、視覚映像の画質を低下させることのないフィードバック調整である。サブフィールドの数を変化させることは、ＰＤＰディスプレイのピーク輝度と色の深さとの間の適応的な釣り合いを提供する。多くのビデオ場面のためにこのフィードバックは正常に高画質で機能し、その間に次の画像は現在の画像に類似する。
【００３５】
場面はその輝度レベルで急速に変化して１フレーム当たりのサブフィールドの数を少しから多数へと変化させると、紛争（conflict）が生じることであろう。持続レベルを徐々に低減させるには時間がないであろうし、このことは輝度ステップ［luminance-step―輝度の階段―］を結果させるであろう。
【００３６】
表示フレームの周期を一時的に拡張することは、輝度の緩やかな低減となる。サブフィールドフレームメモリは、入力されたビデオフレームの比率から表示フレームの比率の結合を解除［de-couple］するために用いることができる。このフレームメモリは、まさに二重バッファ化されたメモリばかりでなく、２つ以上のフレームのデータを格納できるデュアルポートメモリである。このメモリはまた、入力されたビデオストリームにおけるタイミングの変化について補償するために用いることもできる。このメモリが小さな（クロックの結合解除―de-coupling―用の）ＦＩＦＯ［先入れ先出し―First-In/First-Out ―］と結合されて（同期設計用の）ビデオ処理ストリームと手を握るときに、このメモリは、ビデオフィールドメモリ用の（タイミングの）必要性を省略する。
【００３７】
１フレーム当たりのサブフィールドの数は、持続レベル調整モジュールＲＵにより計算され、ビデオ処理モジュールＶＰおよびサブフィールド処理モジュールＳＰへとループバックされる。次の入力フレームは結果的に処理される。したがって、図２に示されるように、持続調整モジュールＲＵは、上述したフィードバック調整を提供するフィードバックループの一部分である。次に、持続レベル情報は、タイミングおよび制御生成部モジュールＴ＆ＣＧ内で実行されるタイミングおよび制御プロセスへと転送される。このフレームの第１のサブフィールドがＰＤＰモジュール内に表示される前に、１サブフィールド当たりの関係する持続時間が計算される。調整がマイクロコントローラにより実行されている間は、ソフトウェアのみが更新される必要がある。
【００３８】
図２に概略的に示されるように、サブフィールド置き換えモジュールＳＴは、幾つかのフレームを格納するために用いられることができるＳＦ（サブフィールド）フレームメモリを備える。これらは、入力ビデオの比率と表示フレームの比率との一時的な変化について許容するために用いることもできる。これは、持続時間の可能な一時的欠落に起因する可能な影響を補償するために用いることができる。
【００３９】
サブフィールドフレームメモリは、図３ａに概略的に示されるように、二重バッファメモリとして実現可能である。この二重バッファされたサブフィールドメモリは、書込みスイッチＷおよび読出しスイッチＲを用いてブランキング時間（書込みおよび読出し無駄時間―idle―）の間にＡメモリおよびＢメモリを交換する。これは、表示の比率が入力映像の比率と等しいことを暗示する。
【００４０】
サブフィールドフレームメモリの実例は、コストの増加を伴うことなく、二重バッファからＦＩＦＯへと変更することを可能とする。このようなＦＩＦＯメモリは、書込みアドレスＷＡおよび読出しアドレスＲＡと共に図３ｂに示される。ＦＩＦＯの実施例がサブフィールドメモリのために用いられると、これは、入力ビデオの比率と表示の比率における一時的な相違を許容するバッファとして動作する。
【００４１】
マイクロコントローラはまた、タイミングおよび制御プロセスを処理すると共に、これにより、タイミングおよび制御生成部モジュールをもまた備えている。このプロセスは、電力負荷および温度制約をに起因する輝度の低減を適応的に制御するのと同様のやり方により、可能な余剰輝度が用いられることができる速度をモデル化する。例えば、タイミングの制約がこれを許容すると、輝度は、例えばフレーム当たり最大で１％を伴って適合される。
【００４２】
ビデオおよびデータグラフィックアプリケーションの画像は、そのアクティブコンテンツおよび負荷における変化を有する。
【００４３】
データグラフィックアプリケーションはしばしば、パレットからの色のセットのみを用いる。これらは、高い持続レベルを許容する良好な複数色を与えるためにサブフィールドの制限されたセットを必要とするのみかもしれない。しかしながら、これらのアプリケーションは、約３０％の平均的な画像負荷を有する。したがって、エネルギー損失および温度は、制限因子である。
【００４４】
ビデオアプリケーションは、約１５％の平均的な画像負荷を有する。サブフィールドの分散は、画像の人為的な影響を低減するために、たくさんの不使用のサブフィールド結合を有する傾向がある。たくさんのサブフィールドが要求され、サブフィールド内で多くの画素が不活性となろう。したがって、１サブフィールド当たりの高い持続レベルが許容される。しかしながら、時間は制限因子である。
【００４５】
ビデオアプリケーションのために、幾つかの特別な場面は、知覚される画質を改善するために、高い輝度を要求する。例えば、幾つかの閃く光を伴う暗い場面は暗い領域における充分なグレーレベル（多くのサブフィールド）すると共に、さらに、充分なピーク輝度をも要求する。この場合、電力供給および温度は、制限因子とはならないであろうし、制限された持続時間のみが真実の制約となる。
【００４６】
この発明は、添付された図面に示された具体例を参照して上記のように説明したが、この発明は上記説明に制限されないことは明らかであり、添付の請求項に開示された範囲内で多くのやり方へと変更可能である。請求項において、括弧の間に位置された何れの参照番号も請求項を制限するものとして解釈されるべきではない。“備える［comprising］”と言う用語は、請求項に列挙された構成要素やステップ以外の構成要素およびステップの存在を排除するものではない。構成要素に先立つ“a”や“an”の冠詞は、複数のこのような構成要素の存在を排除するものではない。幾つかの手段を列挙する装置の請求項において、幾つかのこれらの手段は１つおよびハードウェアの同一の項目により実施化が可能である。特定の手段が相互に異なる従属請求項内で記載されているという単なる事実は、これらの手段の組合せが有利となるように用いられることができないということを表現するものではない。
【図面の簡単な説明】
【００４７】
【図１】フィードフォワード調整を含む従来のＰＤＰ駆動システムの概略構成を示すブロック図である。
【図２】この発明の好適な実施形態に係るＰＤＰ駆動システムの概略構成を示すブロック図である。
【図３ａ】第１の具体例による二重バッファメモリとして提供されるサブフィールドフレームメモリの概略構成を示すブロック図である。
【図３ｂ】第２の具体例によるＦＩＦＯメモリとして提供されるサブフィールドフレームメモリの概略構成を示すブロック図である。
【図１】
2005516245.tif 000003
【図２】
2005516245.tif 000004
【図３ａ】
2005516245.tif 000005
【図３ｂ】
2005516245.tif 000006
【国際調査報告】
2005516245.tif 000007
2005516245.tif 000008
2005516245.tif 000009
2005516245.tif 000010